(57)【要約】【課題】物品を提供する提供者（例えば、通学定期券を販売する係員）の負担を低減するだけでなく、提供される物品を受け取る受取人（例えば、通学定期券を購入する学生）に対するサービスの向上を図った技術を提供する。【解決手段】券売機２と登録データ管理サーバ１とがネットワーク３を介して接続されている。登録データ管理サーバ１は、登録データ記憶部１３に各対象者の登録データを登録データ記憶部１３に記憶すると、この登録データにかかる光学的読取コードを対象者に通知する。券売機２は、光学的読取コードを読み取ると、読み取ったコードを含む認証要求を登録データ管理サーバ１に送信し、この登録データ管理サーバ１からの応答に応じて物品の提供にかかる処理を行う。【選択図】図１
2015153127.tif 000002
【特許請求の範囲】
【請求項１】
端末と、登録データ管理サーバと、がデータ通信可能に接続され、
前記登録データ管理サーバは、
対象者毎に、その対象者について入力された登録データを記憶する登録データ記憶部と、
前記登録データ記憶部に記憶する登録データにかかる光学的読取コードを生成する読取コード生成部と、
前記読取コード生成部が生成した光学的読取コードを対象者に通知する通知部と、を備え、
前記端末は、
前記光学的読取コードを読み取る登録データ読取部と、
前記登録データ読取部が前記光学的読取コードから読み取ったコードを含む認証要求を前記登録データ管理サーバに送信し、この登録データ管理サーバからの応答に応じて物品の提供にかかる処理を行う処理部と、を備えている、
物品提供システム。
【請求項２】
前記登録データ管理サーバは、
前記端末からの前記認証要求に応じて、前記登録データ記憶部に記憶している登録データを検索し、物品の提供可否を認証する認証部を備えている、
請求項１に記載の物品提供システム。
【請求項３】
前記登録データ記憶部は、割引定期券の発行申請に対して、その発行を許可する割引定期券にかかる登録データを記憶する、請求項１、または２に記載の物品提供システム。
【請求項４】
前記端末は、
無線通信機能を有する非接触媒体を受け付ける媒体受付部を備え、
前記処理部は、登録データ管理サーバからの応答に応じて発行する割引定期券にかかる定期券データを、前記媒体受付部が受け付けた非接触媒体に記録する、請求項３に記載の物品提供システム。
【請求項５】
前記通知部は、生成した光学的読取コードを、該当する対象者に対応付けられている電子メールアドレスをあて先とした電子メールで送信する、請求項１〜４のいずれかに記載の物品提供システム。
【請求項６】
前記登録データ管理サーバは、
前記端末の前記処理部における物品の提供にかかる処理結果に応じて、前記登録データ記憶部に記憶している登録データを更新する登録データ更新部を備える、
請求項１〜５のいずれかに記載の物品提供システム。
【請求項７】
対象者毎に、その対象者について入力された登録データを記憶する登録データ記憶部と、
前記登録データ記憶部に記憶する登録データにかかる光学的読取コードを生成する読取コード生成部と、
前記読取コード生成部が生成した光学的読取コードを対象者に通知する通知部と、
データ通信可能に接続された端末から、前記光学的読取コードから読み取ったコードを含む認証要求を受信したとき、この認証要求に応じて前記登録データ記憶部に記憶している登録データを検索し、物品の提供可否を認証する認証部と、を備えている登録データ管理サーバ。
【発明の詳細な説明】
【技術分野】
【０００１】
この発明は、多数の対象者に対して物品（サービスを含む）を提供する物品提供システム、および登録データ管理サーバに関する。
【背景技術】
【０００２】
従来、鉄道会社は、学生に対して通学定期券を販売している。通学定期券は、通勤定期券よりも格安であることから、購入時に通学を証明する通学証明書の提出を義務づけている。学生は、通学証明書の発行を学校側に申請し、発行された通学証明書を通学定期券販売窓口で係員に提出していた。特に、鉄道会社が継続定期券を発行しない年度初めの４月は、窓口で通学定期券を購入する学生が多く、通学定期券を販売する窓口が混雑する。このため、通学定期券を販売する係員の負担が大きかった。
【０００３】
また、通学定期券を販売する窓口の混雑を緩和する目的で、通学証明書にかかる証明書データを事前に鉄道会社のサーバに登録することによって、証明書データがサーバに登録された学生であれば、通学証明書を提示することなく、券売機で通学定期券を購入できるようにしたシステムもある（特許文献１参照）。
【先行技術文献】
【特許文献】
【０００４】
【特許文献１】特開２０１０−９７２６８号公報
【発明の概要】
【発明が解決しようとする課題】
【０００５】
しかしながら、特許文献１に記載された発明は、通学証明にかかる証明書データがサーバに登録されたことを、通学定期券を購入する学生に通知する構成ではなかった。学生が通学証明書の発行を学校側に申請してから、その学生にかかる証明書データが鉄道会社のサーバに登録されるまでに、ある程度の時間を要する。このため、証明書データがサーバに登録されていない学生（通学証明書の発行を学校側に申請した学生）が、券売機で通学定期券の購入にかかる操作を行うことがあった。この場合、学生は、通学定期券を購入できないので、通学定期券の購入にかかる操作を無駄に行ったことになる。すなわち、特許文献１に記載された発明は、通学定期券の購入にかかる操作を学生に無駄に行わせることがあり、通学定期券を購入する学生に対するサービスがよくなかった。
【０００６】
この発明の目的は、物品（サービスを含む。）を提供する提供者（例えば、通学定期券を販売する係員）の負担を低減するだけでなく、提供される物品（サービスを含む。）を受け取る受取人（例えば、通学定期券を購入する学生）に対するサービスの向上を図った技術を提供することにある。
【課題を解決するための手段】
【０００７】
この発明は、上述の目的を達するために、以下のように構成している。
【０００８】
端末と、登録データ管理サーバと、はデータ通信可能に接続されている。
【０００９】
登録データ管理サーバは、対象者毎に、その対象者について入力された登録データを登録データ記憶部に記憶する。また、読取コード生成部は、登録データ記憶部に記憶する登録データにかかる光学的読取コード（例えば、一次元バーコードや二次元バーコード）を生成する。そして、通知部が、読取コード生成部が生成した光学的読取コードを対象者に通知する。
【００１０】
したがって、対象者は、この通知を受け取ることで、自身にかかる登録データが登録データ記憶部に記憶されたことを認識する。この通知は、電子メールや郵送等で行えばよい。
【００１１】
端末は、登録データ読取部において、光学的読取コードを読み取ると、処理部が読み取ったコードを含む認証要求を登録データ管理サーバに送信し、この登録データ管理サーバからの応答に応じて物品の提供にかかる処理を行う。
【００１２】
ここでいう物品は、物理的に存在するものだけに限らず、サービスも含んでいる。
【００１３】
このため、対象者が、自身にかかる登録データが登録データ記憶部に記憶されていないときに、端末で物品の提供を受けるための操作を行うのを防止できる。例えば、通学証明にかかる証明書データがサーバに登録されたことを、通学定期券を購入する学生に通知することができるので、証明書データが登録データ管理サーバに登録されていない学生（通学証明書の発行を学校側に申請したが、未だ登録されていない学生）が、券売機で通学定期券の購入にかかる操作を行うのを防止できる。したがって、対象者に対するサービスの向上が図れる。また、証明書データが登録データ管理サーバに登録されていない学生が、券売機で通学定期券の購入にかかる操作を行わなくなるので、券売機が利用者で混雑するのを抑えられる。
【発明の効果】
【００１４】
この発明によれば、物品（サービスを含む。）を提供する提供者の負担を低減するだけでなく、提供される物品を受け取る受取人に対するサービスの向上が図れる。
【図面の簡単な説明】
【００１５】
【図１】通学定期券発行システムを示す図である。
【図２】登録データ管理サーバの主要部の構成を示すブロック図である。
【図３】通学証明に基づく登録データを示す図である。
【図４】券売機の概観を示す図である。
【図５】券売機の主要部の構成を示すブロック図である。
【図６】登録処理を示すフローチャートである。
【図７】券売機における通学定期券の発行処理を示すフローチャートである。
【図８】登録データ管理サーバにおける通学定期券の発行認証処理を示すフローチャートである。
【発明を実施するための形態】
【００１６】
以下、この発明の実施形態である通学定期券発行システムについて説明する。
【００１７】
図１は、この例にかかる通学定期券発行システムを示す図である。この通学定期券発行システムは、登録データ管理サーバ１と、券売機２と、を備えている。登録データ管理サーバ１は、鉄道会社に設置されている。券売機２は、駅の改札口周辺に設置されている。登録データ管理サーバ１と、券売機２とは、ネットワーク３を介してデータ通信可能に接続されている。図１では、ある駅に設置されている１台の券売機２を図示しているが、各駅に設置されている券売機２がネットワーク３を介して登録データ管理サーバ１に接続されている。また、各駅に設置されている券売機２の台数は、１台であってもよいし、複数台であってもよい。また、各駅に設置されている駅サーバ等の他の装置を介して、登録データ管理サーバ１と、券売機２と、が接続される構成であってもよい。
【００１８】
登録データ管理サーバ１は、通学定期券の発行を許可する対象者（学生）毎に、学校側で発行された通学証明に基づく登録データを記憶する。券売機２は、通学定期券を発行する機能を有する。
【００１９】
この通学定期券発行システムは、
（１）学生が、通学定期券の購入に必要な通学証明の発行を学校に申請する。
（２）学校が、学生からの発行申請に応じて、鉄道会社に通学証明に基づく登録データの登録要求を行う。
（３）鉄道会社が、学校からの登録要求に応じて、登録データを登録データ管理サーバ１に登録する。
（４）鉄道会社が、登録データの登録完了を学生に通知する。
（５）学生が、券売機２で通学定期券を購入する。
という流れで使用される。
【００２０】
図２は、登録データ管理サーバの主要部の構成を示すブロック図である。登録データ管理サーバ１は、制御部１１と、入力部１２と、登録データ記憶部１３と、通信部１４と、を備える。
【００２１】
制御部１１は、登録データ管理サーバ１本体各部の動作を制御する。また、制御部１１は、この発明で言う読取コード生成部や、登録データ更新部にかかる処理を行う。すなわち、この例では、制御部１１が、この発明で言う読取コード生成部や、登録データ更新部に相当する構成を有する。
【００２２】
入力部１２は、通学証明にかかるデータの入力を受け付ける。入力部１２は、キーボードやマウス等の入力デバイスを有する構成であってもよいし、ＣＤ、ＵＳＢメモリ、ＳＤカード等のメディアに記録されているデータを読み取る構成であってもよい。また、後述する通信部１４で代用してもよい。
【００２３】
図３は、通学証明に基づく登録データを示す図である。登録データには、図３に示すように、識別コード、パスワード、登録年月日、有効期限、発駅、着駅、経由駅、月数、氏名、年齢（生年月日）、性別、学校名、学年、住所、電話番号、メールアドレス、通知方式（メール／郵送）、および、二次元バーコード（２ＤＢＣ）データが含まれている。識別コードは、学生を識別するコードである。パスワードは、なりすましによる通学定期券の不正購入を防止するためのものである。登録年月日は、この登録データを登録データ管理サーバ１に登録した（登録データ記憶部１３に記憶した）年月日である。有効期限は、この登録データの有効期限を示す。発駅は、発行する通学定期券による通学区間の一方の駅であり、着駅は通学区間の他方の駅である。通学区間は、自宅最寄駅と、学校最寄駅とである。経由駅は、通学区間において経由する駅である。月数は、発行する通学定期券の有効期間である。氏名、年齢、性別、学校名、学年、住所、電話番号、およびメールアドレスは、学生の個人情報である。通知方式（メール／郵送）は、登録完了の通知を電子メール、または郵送のどちらで行うかを定めた情報である。２ＤＢＣデータは、この登録データにかかる２ＤＢＣの画像データである。２ＤＢＣは、登録データとの対応付けが取れる情報（例えば、識別コード）を含んでいればよく、上述の登録データに含まれている全ての項目を含んでいる必要はない。
【００２４】
なお、登録データには、入力された通学証明にかかるデータと、登録時に作成したデータとが含まれている。
【００２５】
登録データ記憶部１３は、図３に示した登録データを記憶する。通信部１４は、ネットワーク３を介した券売機２とのデータ通信を行う。また、対象者である、学生に対して電子メールを送信する機能も有する。
【００２６】
図４は、券売機の概観を示す図であり、図５は、券売機の主要部の構成を示すブロック図である。券売機２は、制御部２１と、表示部２２と、操作部２３と、乗車券発行部２４と、硬貨処理部２５と、紙幣処理部２６と、２ＤＢＣ読取部２７と、通信部２８と、を備えている。この券売機２は、乗車券を発行（販売）する。乗車券には、キップ、通学定期券、通勤定期券、ＩＣカード等がある。また、券売機２は、ＩＣカードに対するチャージ（入金）も行える。
【００２７】
制御部２１は、券売機２本体各部の動作を制御する。表示部２２は、図５に示すように、本体正面に設けた表示器２２ａを有し、この表示器２２ａにおける画面表示を制御する。操作部２３は、表示器２２ａの画面上に貼付したタッチパネル２３ａや、テンキー等を有するキー操作部等の入力デバイスを有する。操作部２３は、入力デバイスにおける利用者の入力操作を検出し、これを制御部２１に通知する。
【００２８】
乗車券発行部２４は、キップの発行、通学定期券の発行、通勤定期券の発行、ＩＣカードの発行、ＩＣカードに対するチャージ（入金）等を処理する。券売機２は、発券口２４ａ、およびカード挿入／放出口２４ｂを本体正面に設けている。乗車券発行部２４は、利用者に対して発行するキップを発券口２４ａに放出する。乗車券発行部２４は、利用者に対して発行する定期券やＩＣカードをカード挿入／放出口２４ｂに放出する。また、乗車券発行部２４は、カード挿入／放出口２４ｂに挿入されたクレジットカードやＩＣカードを取り込み、このカードに記録されているカードデータの読み取りや、このカードに対するカードデータの書き込み（カードデータの更新）等を行い、その後、利用者に返却するために、カード挿入／放出口２４ｂに放出する。乗車券発行部２４が、この発明で言う処理部、媒体受付部に相当する構成を有する。
【００２９】
硬貨処理部２５は、乗車券の発券等にかかる取引金額の精算に用いる硬貨を受け付けるとともに、利用者に対して釣銭硬貨の放出を行う。券売機２は、投入硬貨受皿２５ａ、および釣銭硬貨受皿２５ｂを本体正面に設けている。硬貨処理部２５は、利用者が投入した投入紙幣や、利用者に対して釣銭として放出する釣銭硬貨について、金種や真偽を識別する硬貨識別部（不図示）を有している。投入硬貨受皿２５ａは、底面に硬貨処理部２５の投入口に連通するスリットを形成している。利用者が投入硬貨受皿２５ａに入れた硬貨は、このスリットを通って、硬貨処理部２５に投入される。硬貨処理部２５の釣銭放出口（不図示）は、釣銭硬貨受皿２５ｂの上方に位置している。この釣銭放出口から放出された硬貨（釣銭硬貨や、金種等が識別できなかった投入硬貨）は、釣銭硬貨受皿２５ｂに溜まる。
【００３０】
紙幣処理部２６は、乗車券の発券等にかかる取引金額の精算に用いる紙幣を受け付けるとともに、利用者に対して釣銭紙幣の放出を行う。券売機２は、紙幣挿入口２６ａ、および紙幣放出口２６ｂを本体正面に設けている。紙幣処理部２６は、紙幣挿入口２６ａにおいて利用者が挿入した投入紙幣や、紙幣放出口２６ｂにおいて利用者に対して放出する釣銭紙幣について、金種や真偽を識別する紙幣識別部（不図示）を有している。また、本体内部には、紙幣を金種別に分けて収納する紙幣スタッカ（不図示）が設けられている。紙幣処理部２６は、紙幣挿入口２６ａに挿入された紙幣を紙幣搬送路に沿って搬送し、該当する金種の紙幣スタッカに収納する。また、紙幣処理部２６は、この紙幣スタッカから、利用者に対して放出する釣銭紙幣を繰り出し、紙幣搬送路に沿って搬送し、紙幣放出口２６ｂに放出する。
【００３１】
２ＤＢＣ読取部２７は、本体正面に設けた読取センサ２７ａに翳された２ＤＢＣを光学的に読み取る。通信部２８は、ネットワーク３を介した登録データ管理サーバ１とのデータ通信を行う。２ＤＢＣ読取部２７が、この発明で言う登録データ読取部に相当する。
【００３２】
次に、この通学定期券発行システムの動作について説明する。
【００３３】
まず、学生が、通学定期券の購入に必要な通学証明の発行を学校側に申請する。このとき、学生は、学校側で用意されている所定の申し込み用紙に必要事項を記入する。学生は、通学定期券の発駅、着駅、経由駅、月数、氏名、年齢（生年月日）、性別、学校名、学年、住所、電話番号、メールアドレス、および通知方式（メール／郵送）を、必要事項として記入する。このとき、学校は、自校の生徒でない人からの申請を受け付けないことは言うまでもない。
【００３４】
学校は、学生からの通学証明の発行申請を集計し、鉄道会社に通学証明に基づく登録データの登録要求を行う。このとき、学校は、学生が必要事項を記入した申し込み用紙を通学証明書として鉄道会社に渡してもよいし、パーソナルコンピュータ等の情報処理装置を利用して、学生からの通学証明の発行申請に基づいて作成した通学証明データを鉄道会社に渡してもよい。通学証明データを鉄道会社に渡す場合には、ネットワーク３を利用した通信で登録データの登録要求を行ってもよい。
【００３５】
鉄道会社は、学校からの登録要求に応じて、登録データを登録データ管理サーバ１に登録する。登録データ管理サーバ１における登録データの登録処理について説明する。図６は、この登録処理を示すフローチャートである。図６は、１人の学生に対する登録処理を示しており、登録データ管理サーバ１は、学校側から登録データの登録要求があった学生毎に、この登録処理を行う。
【００３６】
登録データ管理サーバ１は、入力部１２において、通学証明データの入力を受け付ける（ｓ１）。この通学証明データは、通学定期券の発駅、着駅、経由駅、月数、氏名、年齢（生年月日）、性別、学校名、学年、住所、電話番号、メールアドレス、および通知方式（メール／郵送）であり、学生が記入したものである。学校側から学生が必要事項を記入した申し込み用紙が通学証明書として渡されている場合には、オペレータがキーボード等を操作して入力する。
【００３７】
登録データ管理サーバ１は、ｓ１で入力された通学証明データに基づいて、登録データを生成する（ｓ２）。ｓ２では、図３に示した登録データを生成する。具体的には、識別コードを付与するとともに、パスワードを設定する。また、処理当日を登録年月日にするとともに、この登録年月日を基準にした有効期限（例えば１ヶ月）を設定する。さらに、この登録データにかかる２ＤＢＣを生成する。２ＤＢＣは、登録データとの対応付けが取れる情報（例えば、識別コード）を含んでいる。２ＤＢＣは、セキュリティを向上させる場合、元データ（識別コード等）を暗号化したコードで生成するのが好ましい。
【００３８】
登録データ管理サーバ１は、ｓ２で生成した登録データを登録データ記憶部１３に記憶する（ｓ３）。登録データ管理サーバ１は、登録データを登録データ記憶部１３に記憶した学生に対して、登録完了を通知する（ｓ４）。ｓ４では、通知方式が電子メールである学生については、指定されているメールアドレスをあて先とする電子メールで登録完了を通知する。また、通知方式が郵送である学生については、指定されている住所をあて先とした郵便物（圧着はがき等）の印刷データを生成する。この登録完了通知では、少なくとも２ＤＢＣの画像を学生に通知する。
【００３９】
なお、この完了通知において、登録データにかかる全ての項目を学生に通知し、登録内容に誤りがないかを確認させるようにしてもよい。
【００４０】
学生は、登録データ管理サーバ１からの登録完了通知によって、通学定期券の購入が可能になったことを認識する。いいかえれば、学生は、登録データ管理サーバ１から登録完了通知が届くまで、通学定期券が購入できない状態であることを認識している。
【００４１】
次に、学生が、券売機２で通学定期券を購入するときの動作について説明する。上述したように、券売機２は、通学定期券の発行だけでなく、キップの発行、通勤定期券の発行、ＩＣカードの発行、ＩＣカードに対するチャージ（入金）も処理することができるが、キップの発行、通勤定期券の発行、ＩＣカードの発行、ＩＣカードに対するチャージ（入金）等にかかる処理については、公知の券売機と同様であるので、ここでは説明を省略する。
【００４２】
図７は、券売機における通学定期券の発行処理を示すフローチャートである。図８は、登録データ管理サーバにおける通学定期券の発行認証処理を示すフローチャートである。
【００４３】
券売機２は、操作部２３において、通学定期券の購入操作が行われると、図７に示す処理を開始する。
【００４４】
券売機２は、２ＤＢＣ読取部２７において、通学定期券を購入する学生が読取センサ２７ａに翳した２ＤＢＣの読み取りが行われるのを待つ（ｓ１１）。このとき、表示部２２が、通学定期券を購入する学生に対して、２ＤＢＣを読取センサ２７ａに翳すことを案内する案内画面を表示器２２ａに表示する。上述したように、登録データが登録データ管理サーバ１に登録された学生には、その登録データにかかる２ＤＢＣが通知されている。また、券売機２は、適正な２ＤＢＣを所持していない人に対して、通学定期券を発行しない。
【００４５】
券売機２は、２ＤＢＣ読取部２７において、通学定期券を購入する学生が読取センサ２７ａに翳した２ＤＢＣを読み取ると、通信部２８において、登録データ管理サーバ１に通学定期券の発行可否の認証要求を送信し（ｓ１２）、登録データ管理サーバ１からの認証結果を待つ（ｓ１３）。ｓ１２では、２ＤＢＣ読取部２７が２ＤＢＣから読み取ったコードを含む認証要求を送信する。
【００４６】
登録データ管理サーバ１は、通信部１４において、券売機２からの認証要求があると、登録データ記憶部１３に記憶している登録データを検索し、通学定期券を購入する学生が読取センサ２７ａに翳した２ＤＢＣが適正であるかどうかを判定する認証処理を行う（ｓ３１、ｓ３２）。ｓ３２では、券売機２から送信されてきた認証要求に含まれているコード（通学定期券を購入する学生が読取センサ２７ａに翳した２ＤＢＣから読み取ったコード）から対応する学生の識別番号を抽出し、該当する登録データの有無や、通学定期券の発行状態（未発行、または既発行）を確認し２ＤＢＣが適正であるかどうかを判定する。登録データ管理サーバ１は、登録データが登録データ記憶部１３に記憶されており、且つ、その状態が未発行であれば、２ＤＢＣが適正であると判定し、その他の場合に不適正であると判定する。
【００４７】
登録データ管理サーバ１は、ｓ３２の判定結果に基づく認証結果を券売機２に送信する（ｓ３３）。登録データ管理サーバ１は、２ＤＢＣが適正であると判定した場合、通学定期券の発行を許可する認証結果を券売機２に送信する。一方、２ＤＢＣが不適正であると判定した場合、通学定期券の発行を禁止する認証結果を券売機２に送信する。また、登録データ管理サーバ１は、通学定期券の発行を許可する認証結果を券売機２に送信するとき、該当する登録データも含めて券売機２に送信する。
【００４８】
券売機２は、登録データ管理サーバ１からの認証結果が通学定期券の発行禁止であれば、表示部２２が通学定期券を発行することができない旨を表示器２２ａに表示する発行中止処理を行って（ｓ１５）、本処理を終了する。また、このとき、表示器２２ａに通学定期券が発行できない理由（登録データが登録データ記憶部１３に記憶されていない、または、通学定期券が既発行である。）もあわせて表示してもよい。
【００４９】
券売機２は、登録データ管理サーバ１からの認証結果が通学定期券の発行許可であれば、発行する通学定期券にかかる情報を表示器２２ａに表示する（ｓ１６）。ｓ１６では、発行許可とともに送信されてきた登録データに含まれている、発駅、着駅、経由駅、月数、氏名、年齢（生年月日）、性別等である。
【００５０】
学生は、これらの情報に間違いがないかを確認する。学生は、間違いが無ければ表示器２２ａに表示されている確認ボタンを押下し、間違いあれば表示器２２ａに表示されている中止ボタンを押下する。
【００５１】
券売機２は、中止ボタンが押下されると（ｓ１７）、本処理を終了する。この場合、学生は、登録データが間違っていることを駅係員等に問い合わせることになる。
【００５２】
券売機２は、確認ボタンが押下されると（ｓ１８）、通学定期券の使用開始日の入力を受け付ける（ｓ１９）。ｓ１９では、表示部２２が、通学定期券を購入する学生に対して、通学定期券の開始日の入力を促す案内画面を表示器２２ａに表示する。
【００５３】
券売機２は、操作部２３において、学生による通学定期券の開始日の入力を受け付けると、通学定期券とする媒体の種別の選択入力を受け付ける（ｓ２０）。ｓ２０では、表示部２２が、通学定期券を購入する学生に対して、通学定期券とする媒体の種別の選択入力を促す案内画面を表示器２２ａに表示する。ｓ２０では、磁気券、新規購入ＩＣカード、または、既所有ＩＣカードのいずれかを選択する。
【００５４】
券売機２は、ｓ２０で選択された媒体の種別が既所有のＩＣカードであれば、学生がカード挿入／放出口２４ｂに挿入したＩＣカードを受け付ける（ｓ２１、ｓ２２）。券売機２は、ｓ２０で選択された媒体の種別が既所有のＩＣカードでなければ（新規ＩＣカード、または磁気券であれば）、ｓ２２にかかる処理を行わない。
【００５５】
券売機２は、表示部２２が通学定期券の発行にかかる金額を表示器２２ａに表示し（ｓ２３）、硬貨処理部２５、および紙幣処理部２６において貨幣（硬貨や紙幣）の投入を受け付ける（ｓ２４）。券売機２は、ｓ２３で表示器２２ａに表示した通学定期券の発行にかかる金額以上の貨幣が投入されると、通学定期券を発行する（ｓ２５）。ｓ２５では、通学定期券をｓ２０で選択された種類の媒体で発行する。通学定期券は、カード挿入／放出口２４ｂに放出される。また、券売機２は、硬貨処理部２５、および紙幣処理部２６が必要に応じて、つり銭の放出を行う。
【００５６】
券売機２は、通学定期券の発行が完了すると、登録データ管理サーバ１に発行完了を通知し（ｓ２６）、本処理を終了する。この発行完了通知には、今回通学定期券を発行した学生を識別する識別コードが含まれている。
【００５７】
登録データ管理サーバ１は、通信部１４において、券売機２からの発行完了通知を受信すると、登録データ記憶部１３に記憶している該当する学生の登録データに発行済みを登録する（ｓ３４、ｓ３５）。
【００５８】
このように、この例にかかる通学定期券発行システムでは、券売機２で通学定期券が発行できるので、通学定期券を発行にかかる人手を低減できる。また、通学定期券を購入する学生は、券売機２で通学定期券が購入できる状況になったことを登録完了通知によって認識できるので、券売機２で通学定期券の購入にかかる操作を無駄に行うことがない。したがって、通学定期券を購入する学生に対するサービスの向上が図れる。
【００５９】
また、券売機２で通学定期券が購入できる状況でない学生（登録データ管理サーバ１に登録データが登録されていない学生）が、券売機２で通学定期券の購入にかかる操作を行わなくなるので、券売機２が利用者で混雑するのを抑えられる。
【００６０】
また、登録データ管理サーバ１側で通学定期券の発行にかかる認証を行うので、通学定期券の重複発行を防止することができる。
【００６１】
また、券売機２は、ｓ１２の処理を行う前に、登録完了通知において通知したパスワードを入力させ、このパスワードも含む認証要求を登録データ管理サーバ１に送信する構成としてもよい。この場合、登録データ管理サーバ１は、入力されたパスワードが適正であるかどうかも含めて、通学定期券の発行可否を判定する。これにより、なりすましに対するセキュリティの向上も図れる。
【００６２】
また、通学定期券を購入する学生が、通学定期券の媒体の種別を選択できる。
【００６３】
また、本願発明は、上述した通学定期券発行システムに限らず、他のシステムに適用できる。例えば、株式会社が、株主に対して行う株主優待にかかる物品を提供する株主優待システムも可能である。
【００６４】
この株主優待システムでは、対象者を株主とし、その株主の住所、氏名等の個人情報と、株主優待として提供する物品の内容を登録データとして登録データ管理サーバ１に記憶させる。この例にかかる登録データ管理サーバ１も、図２示した構成である。株主優待として提供する物品の内容は、その株主の持ち株数等に応じて設定すればよい。
【００６５】
登録データ管理サーバ１は、登録データを登録データ記憶部１３に記憶した株主に対して登録完了通知（株主優待の通知）を行う。この登録完了通知は、株主優待として提供する物品やサービスの内容を株主に通知するものであり、上述した例と同様に電子メールや郵送で行えばよい。また、この登録完了通知には、２ＤＢＣが添付されている。
【００６６】
株主優待として提供する物品が乗車券である場合、上述の例にかかる券売機２に株主優待にかかる乗車券の発行機能を設けておく。株主は、株主優待にかかる乗車券の発行処理を選択し、登録完了通知に添付されている２ＤＢＣを上述した例の券売機２に読み取らせる。券売機２は、登録データ管理サーバ１に対して株主優待にかかる乗車券の発行可否にかかる認証を要求し、その認証結果に応じて株主優待にかかる乗車券を発行する。
【００６７】
また、登録データ管理サーバ１では、株主（対象者）毎に、株主優待にかかる乗車券の発行履歴を管理し、券売機２からの株主優待にかかる乗車券の発行可否にかかる認証要求時に、発行履歴を株主優待として提供する物品の内容と照合することで、株主優待にかかる乗車券の分割発行にかかるサービスも行える。
【００６８】
また、株主優待として提供する物品が、テーマパーク等の施設の無料パスポートであれば、そのテーマパークの入場口付近に設置した端末（上述の例における券売機２に代わる端末）で、登録完了通知に添付されていた２ＤＢＣを読み取り、無料パスポートを発行するようにしてもよい。この場合、端末は、上述の例と同様に、無料パスポートの発行時に、登録データ管理サーバ１に対して無料パスポートの発行可否の認証を要求する。
【００６９】
さらに、店舗のサービスカウンタに設置されているＰＯＳ端末等に、登録完了通知に添付されていた２ＤＢＣを読み取らせることによって、その店舗で商品が受け取れるようにすることもできる。この場合には、ＰＯＳ端末が、登録データ管理サーバ１に対して商品の提供可否の認証を要求する。
【００７０】
このように、株主優待にかかる物品やサービスを提供する株主優待システムにおいても、登録データ管理サーバ１で認証を行うので、サービスの重複提供を防止できる。
【００７１】
また、株主優待に限らず、会員に対して特別なサービスを提供する場合のシステムとしても使用できる。例えば、クレジットカード会社がクレジットカード利用者（カード会員）に対して特別なサービスを提供する場合のシステムとしても使用できる。
【符号の説明】
【００７２】
１−登録データ管理サーバ
２−券売機
３−ネットワーク
１１−制御部
１２−入力部
１３−登録データ記憶部
１４−通信部
２１−制御部
２２−表示部
２３−操作部
２５−硬貨処理部
２６−紙幣処理部
２７−２ＤＢＣ読取部
２７−読取部
２７ａ−読取センサ
２８−通信部
【図１】
2015153127.tif 000003
【図２】
2015153127.tif 000004
【図３】
2015153127.tif 000005
【図４】
2015153127.tif 000006
【図５】
2015153127.tif 000007
【図６】
2015153127.tif 000008
【図７】
2015153127.tif 000009
【図８】
2015153127.tif 000010